(57)【要約】【課題】記録シートを用いることなく、高濃度のトナーパターンにおけるトナー付着量を精度良く測定することが可能な画像形成装置を提供すること。【解決手段】感光体ドラムを周速Ｖ１で回転させ（Ｓ２）、中間転写ベルトを周速Ｖ２（＞Ｖ１）で周回駆動させる（Ｓ３）。感光体ドラム上にトナーパターンを形成し（Ｓ４）、感光体ドラム上のトナーパターンを中間転写ベルトに転写させる（Ｓ５）。感光体ドラムと中間転写ベルトの速度差により、転写後のトナーパターンの線幅が転写前における感光体ドラム上での線幅よりも広げられた状態になる。中間転写ベルト上のトナーパターンをセンサーで検出し（Ｓ６）、検出信号に基づいてトナーパターンのトナー像のトナー付着量を算出し（Ｓ７）、そのトナー付着量が目標濃度と一致するように、画像形成条件を補正して目標濃度に対応する画像形成条件を決定する（Ｓ８）。【選択図】図７
2013113918.tif 000002
【特許請求の範囲】
【請求項１】
像担持回転体上に形成されたトナー像を中間転写回転体に転写し、前記中間転写回転体に転写されたトナー像を、搬送されるシート上に転写する画像形成装置であって、
トナー付着量調整用のトナーパターンを前記像担持回転体上に形成する形成手段と、
前記中間転写回転体を、トナーパターン形成時における前記像担持回転体の周速よりも速い速度で回転駆動する駆動手段と、
前記像担持回転体上に形成されたトナーパターンを、前記速い速度で回転している中間転写回転体に転写する転写手段と、
前記中間転写回転体に転写されたトナーパターンのトナー付着量を光学的に測定する測定手段と、
前記測定手段の測定結果に基づいて、トナー付着量が目標値になるように画像形成条件を調整する調整手段と、
を備えることを特徴とする画像形成装置。
【請求項２】
前記像担持回転体の周速をＶ１、前記中間転写回転体の周速をＶ２としたとき、（１．１×Ｖ１）≦Ｖ２≦（２×Ｖ１）の関係を満たしていることを特徴とする請求項１に記載の画像形成装置。
【請求項３】
前記トナーパターンは、
トナー像からなる線状の複数のラインパターンが前記像担持回転体の回転方向に間隔をあけて形成されてなることを特徴とする請求項１または２に記載の画像形成装置。
【請求項４】
前記像担持体上に形成される複数のラインパターンは、
第１濃度の複数のラインパターンが間隔Ｄ１をあけて並んでなる第１パターン群と、
第１濃度よりも濃度が濃い第２濃度の複数のラインパターンが間隔Ｄ２をあけて並んでなる第２パターン群とを含み、
間隔Ｄ１＜Ｄ２の関係を有することを特徴とする請求項３に記載の画像形成装置。
【請求項５】
前記第１濃度は、３〜６〔ｇ／ｍ２〕の範囲内のトナー付着量に相当する濃度であることを特徴とする請求項４に記載の画像形成装置。
【請求項６】
前記第１濃度のラインパターンと前記第２濃度のラインパターンは、同じ幅であることを特徴とする請求項４または５に記載の画像形成装置。
【請求項７】
前記測定手段は、
前記中間転写回転体に転写されたトナーパターンに光を照射し、その反射光量を検出するセンサーを有し、検出された反射光量に基づきトナー付着量を測定することを特徴とする請求項１〜６のいずれか１項に記載の画像形成装置。
【発明の詳細な説明】
【技術分野】
【０００１】
本発明は、複写機やプリンター等の画像形成装置に関し、特に像担持体へのトナー付着量が目標値になるように画像形成条件を調整する技術に関する。
【背景技術】
【０００２】
電子写真方式の複写機やプリンター等の画像形成装置においては、機内の温湿度の変化や像担持体の一例としての感光体ドラムや他の部品の劣化等により、感光体ドラムへのトナー付着量が変化し、形成された画像におけるトナー濃度が変化する。
このため、画像形成装置には、トナー付着量を調整するための画像安定化制御の機能が設けられているものが多い。
【０００３】
画像安定化制御は、例えば目標とするトナー付着量に対応する線状のトナーパターンを中間転写ベルト上に形成し、中間転写ベルト上に形成されたトナーパターンに光を照射させ、その反射光を反射型のセンサーで受光することにより、トナーパターンにおけるトナー付着量を光学的に測定し、測定結果に基づいてトナー付着量が目標値になるように、帯電電位や現像バイアス電圧などの画像形成条件を調整する制御である。
【０００４】
ところが、この制御方法では、目標とするトナー付着量が多い（高濃度の）場合、トナー付着量を精度良く測定できない場合がある。
なぜなら、トナーパターンが高濃度になるほどその線幅がほとんど変わらず、高さ方向にのみトナー粒子が積み重なる傾向が強くなり、トナーパターンの濃度が濃くなっても、トナーパターンからの反射光の光量がほとんど変化しなくなるからである。
【０００５】
このような高濃度のトナーパターンにおけるトナー付着量を精度良く測定する技術として、特許文献１には、次のような方法が開示されている。
すなわち、中間転写ベルト上のトナーパターンを記録シートに転写し、その記録シートを定着部に通紙し、加熱、加圧によりトナーパターンを記録シートに圧延した後、その圧延後のトナーパターンにおけるトナー付着量をセンサーで測定する方法である。
【０００６】
この測定方法によれば、高濃度のトナーパターンであってもトナー粒子が高さ方向に積み重ならず、記録シート上においてトナーパターンを形成するトナー像が占める表面積がトナー付着量に応じて広がるようになるので、トナー付着量の増加に伴う反射光量の変化を検出することができ、トナー付着量を精度良く測定することができる。
【先行技術文献】
【特許文献】
【０００７】
【特許文献１】特開２０１１−１０７５１４号公報
【発明の概要】
【発明が解決しようとする課題】
【０００８】
しかしながら、上記の特許文献１による方法では、画像安定化制御の実行毎に必ず、記録シートが使用され、その記録シートは、トナーパターンが熱定着されるので、もはや他のコピーやプリントなどに使用できず、トナー付着量の測定のためだけに記録シートが無駄になるという問題がある。また、熱定着のためにヒーターに供給される電力は、通常、５００〜１０００〔Ｗ〕程度必要になり、多くの電力が消費されてしまう。
【０００９】
画像安定化制御は、機内の温湿度が変化する毎やコピー枚数が所定枚数に達する毎などに繰り返し実行されるので、その実行回数が増えるに伴って、トナーパターンの形成に使用される記録シートの枚数が大量になり、また消費電力量も多大になる。
本発明は、上述のような問題に鑑みて為されたものであって、記録シートを用いることなく、高濃度のトナーパターンにおけるトナー付着量を精度良く測定することが可能な画像形成装置を提供することを目的とする。
【課題を解決するための手段】
【００１０】
上記目的を達成するため、本発明に係る画像形成装置は、像担持回転体上に形成されたトナー像を中間転写回転体に転写し、前記中間転写回転体に転写されたトナー像を、搬送されるシート上に転写する画像形成装置であって、トナー付着量調整用のトナーパターンを前記像担持回転体上に形成する形成手段と、前記中間転写回転体を、トナーパターン形成時における前記像担持回転体の周速よりも速い速度で回転駆動する駆動手段と、前記像担持回転体上に形成されたトナーパターンを、前記速い速度で回転している中間転写回転体に転写する転写手段と、前記中間転写回転体に転写されたトナーパターンのトナー付着量を光学的に測定する測定手段と、前記測定手段の測定結果に基づいて、トナー付着量が目標値になるように画像形成条件を調整する調整手段と、を備えることを特徴とする。
【００１１】
また、前記像担持回転体の周速をＶ１、前記中間転写回転体の周速をＶ２としたとき、（１．１×Ｖ１）≦Ｖ２≦（２×Ｖ１）の関係を満たしていることを特徴とする。
さらに、前記トナーパターンは、トナー像からなる線状の複数のラインパターンが前記像担持回転体の回転方向に間隔をあけて形成されてなることを特徴とする。
ここで、前記像担持体上に形成される複数のラインパターンは、第１濃度の複数のラインパターンが間隔Ｄ１をあけて並んでなる第１パターン群と、第１濃度よりも濃度が濃い第２濃度の複数のラインパターンが間隔Ｄ２をあけて並んでなる第２パターン群とを含み、間隔Ｄ１＜Ｄ２の関係を有することを特徴とする。
【００１２】
ここで、前記第１濃度は、３〜６〔ｇ／ｍ２〕の範囲内のトナー付着量に相当する濃度であることを特徴とする。
また、前記第１濃度のラインパターンと前記第２濃度のラインパターンは、同じ幅であることを特徴とする。
さらに、前記測定手段は、前記中間転写回転体に転写されたトナーパターンに光を照射し、その反射光量を検出するセンサーを有し、検出された反射光量に基づきトナー付着量を測定することを特徴とする。
【発明の効果】
【００１３】
上記のように構成すれば、中間転写回転体の周速の、像担持回転体の周速との速度差により、像担持回転体から中間転写回転体にトナーパターンが転写される際に、中間転写回転体上においてトナーパターンを形成するトナー像が占める表面積がそのトナー付着量に応じて広がるようになるので、記録シートを用いることなく、および熱定着のための多くの電力を消費せずとも、高濃度のトナーパターンにおけるトナー付着量を精度良く測定することが可能になる。
【図面の簡単な説明】
【００１４】
【図１】複合機の全体の構成を示す概略図である。
【図２】複合機に設けられる制御部の構成を示すブロック図である。
【図３】（ａ）は、感光体ドラム上に形成されたトナーパターンの構成例を示す平面図であり、（ｂ）は、感光体ドラムから中間転写ベルト上に転写された後のトナーパターンの例を示す図である。
【図４】感光体ドラム上に形成されたラインパターンが転写位置で中間転写ベルトに転写されるときの転写の前後において、そのラインパターンの厚みが変化する様子を示す模式図である。
【図５】ラインパターンのトナー付着量〔ｇ／ｍ２〕を３段階に分けた場合の、感光体ドラム上における転写前のラインパターンのトナー層と、転写後の中間転写ベルト上におけるラインパターンのトナー層の様子を模式的に示す図である。
【図６】（ａ）は、ラインパターンのトナー付着量が高濃度領域にある場合におけるトナー付着量とラインパターンの線幅の関係を示す図であり、（ｂ）は、トナー付着量とラインパターンの反射濃度の関係を示す図である。
【図７】Ｙ色のトナー付着量最適化処理の動作を示すフローチャートである。
【発明を実施するための形態】
【００１５】
以下、本発明に係る画像形成装置の実施の形態を、タンデム型カラー複合機（以下、単に「複合機」という。）に適用した場合を例に、図面に基づいて説明する。
（１）複合機の全体構成
図１は、複合機１の全体の構成を示す概略図である。
同図に示すように、複合機１は、スキャナー部２とプリント部３とから構成され、原稿画像を読み取ってその画像データに基づいて記録シートに画像を形成するコピージョブ、外部端末からＬＡＮなどのネットワークを介して送られてきた画像データに基づいて記録シートに画像を形成するプリントジョブ、画像データを外部に送信する送信ジョブ等を実行可能な、いわゆるＭＦＰ（Ｍｕｌｔｉｐｌｅ  Ｆｕｎｃｔｉｏｎ  Ｐｅｒｉｐｈｅｒａｌ）と呼ばれるものである。
【００１６】
スキャナー部２は、セットされた原稿の画像を読み取って画像データを得る公知の画像読取装置である。
プリント部３は、電子写真方式等により画像を形成するものであり、ここでは画像プロセス部４と、記録シートの給送部５と、定着部６および制御部７を備えている。
画像プロセス部４は、イエロー（Ｙ）、マゼンタ（Ｍ）、シアン（Ｃ）およびブラック（Ｋ）の各再現色それぞれに対応する作像部９Ｙ、９Ｍ、９Ｃ、９Ｋと、露光部１０と、中間転写ユニット３０等を備える。
【００１７】
中間転写ユニット３０は、駆動ローラー３１、従動ローラー３２、テンションローラー３３、中間転写ベルト３４、クリーナー３５、一次転写ローラー３６および二次転写ローラー３７等を備える。
中間転写ベルト３４は、駆動ローラー３１と、従動ローラー３２と、テンションローラー３３などに張架されており、矢印Ｂで示す方向に周回駆動される。
【００１８】
一次転写ローラー３６は、中間転写ベルト３４を挟んで各感光体ドラム２１と対向する位置にそれぞれ配置されている。
二次転写ローラー３７は、中間転写ベルト３４を挟んで駆動ローラー３１と対向する位置に配置され、二次転写ローラー３７が中間転写ベルト３４に接触する位置が二次転写位置４８を構成する。
【００１９】
作像部９Ｙ〜９Ｋは、中間転写ベルト３４に対向してベルト走行方向上流側から下流側に沿って所定間隔で直列に配置されている。
作像部９Ｙは、像担持体としての感光体ドラム２１と、その周囲に配設された帯電部２２と、現像部２３と、クリーナー２５等を備えている。この構成は、他の作像部９Ｍ〜９Ｋについても同様であり、同図では符号を省略している。
【００２０】
給送部５は、記録シートＳを収容する給紙カセット４１、４２と、給紙カセット４１、４２内の記録シートＳを１枚ずつ繰り出す繰り出しローラー４３、４４と、繰り出された記録シートＳを搬送する搬送ローラー対４５と、二次転写位置４８に記録シートＳを送り出すタイミングをとるためのタイミングローラー対４６等を備えている。
定着部６は、ヒータ（不図示）を備え、所定の定着温度に維持される。
【００２１】
このような構成において、カラー画像を形成するコピーやプリントなどのジョブを実行する場合には、作像部９Ｙ〜９Ｋごとに、矢印Ａで示す方向に回転駆動される感光体ドラム２１が、クリーナー２５による清掃の後、帯電部２２により一様に帯電され、帯電された感光体ドラム２１の表面が露光部１０からのレーザー光Ｌにより露光されて潜像が形成される。
【００２２】
形成された潜像は、現像部２３において現像バイアス電圧が印加された現像ローラー２３１に担持された現像剤としてのトナーにより現像（顕像化）される。
作像部９Ｙ〜９Ｋごとに、その感光体ドラム２１に対向する一次転写ローラー３６のそれぞれには、転写出力部３９から出力される一次転写電圧が印加されており、現像されたトナー像は、一次転写ローラー３６の電界の作用により感光体ドラム２１から中間転写ベルト３４上に転写（一次転写）される。この際、各色の作像動作は、そのトナー像が中間転写ベルト３４上の同じ位置に重ね合わせて転写されるようにタイミングをずらして実行される。
【００２３】
中間転写ベルト３４上の各色トナー像は、中間転写ベルト３４の周回走行により二次転写位置４８に移動する。
この中間転写ベルト３４上の各色トナー像の二次転写位置４８への移動に合わせて、給送部５からは、記録シートＳが二次転写位置４８に向けて搬送されており、その記録シートＳが二次転写位置４８を通過する際に、二次転写ローラー３７の電界の作用により中間転写ベルト３４上の各色トナー像が記録シートＳに一括して転写（二次転写）される。
【００２４】
二次転写位置４８を通過した記録シートＳは、定着部６に搬送され、ここでトナー像が加熱、加圧により記録シートＳに定着された後、排出ローラー対５１により機外に排出され、収容トレイ５２に収容される。
上記では、カラー画像形成の動作例を説明したが、複合機１は、モノクロ、例えばＫ色のみの画像形成を実行することもできる。Ｋ色のモノクロ画像形成の場合には、作像部９Ｋだけが動作して、作像部９Ｋに設けられた感光体ドラム２１上のＫ色のトナー像が中間転写ベルト３４上に一次転写され、中間転写ベルト３４上に転写されたＫ色のトナー像は、二次転写位置４８において記録シートＳに二次転写される、記録シートＳに二次転写されたＫ色のトナーは、定着部６において記録シートＳに定着されることになる。
【００２５】
なお、二次転写位置４８において記録シートＳに転写されずに中間転写ベルト３４上に残った転写残トナーは、次の画像形成に備えてクリーナー３５により除去される。
また、中間転写ベルト３４の周囲であり、中間転写ベルト３４の周回方向に沿って作像部９Ｙから二次転写位置４８までの間の位置には、発光部と受光部を有する反射型の光学センサーからなるパターン検出センサー３８が配置されている、
パターン検出センサー３８は、画像安定化制御の一例としてのトナー付着量最適化処理の際に、中間転写ベルト３４上に形成されたトナーパターンに向けて発光部から光を照射し、トナーパターンからの反射光を受光部で受光して、その反射光量に応じた電気信号を生成し、生成した信号を、反射濃度を示す信号として制御部７に送るものである。ここで、反射濃度とは、測定対象物への投射光量をＩ0とし、測定対象物からの反射光量をＩとするとき、Ｄ＝−logＩ／Ｉ0の式によって表されるＤのことをいう。
【００２６】
制御部７は、パターン検出センサー３８からの反射濃度を示す信号に基づき、帯電部２２の帯電電圧、露光部１０のレーザー光Ｌの光量、現像部２３の現像バイアス電圧などの画像形成条件を適した条件に調整する。中間転写ベルト３４上に形成されるトナーパターンやトナー付着量最適化処理の詳細については、後述する。
スキャナー部２の前面の操作しやすい位置には、操作部８が設けられている。
【００２７】
操作部８には、操作者がコピー枚数を入力するためのテンキー、コピー開始を指示するためのコピースタートキー、画像安定化制御の実行を指示するためのキーに加えて、複合機１の状態、例えば、ジョブ実行指示を待っている状態（待機中）であることなどを示すメッセージ画面が表示されるタッチパネル式の液晶表示部が備えられている。
なお、作像部９Ｙ〜９Ｋの感光体ドラム２１や現像ローラー２３１、給送部５における各ローラーなどは、メインモーターＭ１により回転駆動され、中間転写ユニット３０の駆動ローラー３１は、ベルト駆動モーターＭ２の駆動力により回転駆動される。メインモーターＭ１とベルト駆動モーターＭ２の回転速度を制御することにより、感光体ドラム２１と中間転写ベルト３４を同じ周速で回転させることもできるし、また相互に異なる周速で回転させることもできる。
【００２８】
通常のコピーやプリントジョブなどの画像形成時には、感光体ドラム２１と中間転写ベルト３４は両方、同じ速度（周速）Ｖ１（システムスピード）で回転駆動されるが、トナー付着量最適化処理の際には、感光体ドラム２１が周速Ｖ１で回転駆動されるのに対し、中間転写ベルト３４が速度Ｖ１よりも所定の速度比だけ速い速度Ｖ２で回転駆動されるようになっている。
【００２９】
このように感光体ドラム２１と中間転写ベルト３４を個別にその周速を可変可能な構成をとっているのは、トナー付着量最適化処理において高濃度のトナーパターンにおけるトナー付着量を精度良く測定するためであるが、詳細については後述する。
（２）制御部７の構成
図２は、制御部７の構成を示すブロック図である。
【００３０】
同図に示すように、制御部７は、ＣＰＵ７１と、通信インターフェース（Ｉ／Ｆ）部７２と、ＲＯＭ７３と、ＲＡＭ７４と、パターン形成部７５と、パターンデータ記憶部７６と、回転速度データ記憶部７７と、トナー付着量算出部７８と、補正テーブル記憶部７９等を備える。
Ｉ／Ｆ部７２は、ＬＡＮボードなどのネットワークに接続するためのインターフェースである。
【００３１】
ＲＯＭ７３には、スキャナー部２、プリント部３、操作部８、転写出力部３９、露光量調整部８１、帯電バイアス出力部８２、現像バイアス出力部８３等を制御するために必要なプログラムのほか、トナー付着量最適化処理を実行するためのプログラム等が格納されている。ＲＯＭ７３に格納されている各プログラムは、ＣＰＵ７１により読み出されて実行される。
【００３２】
ここで、露光量調整部８１は、露光部１０に設けられた、イエロー、マゼンタ、シアン、ブラック色の露光用の光源から出射される光量を調整することにより、各色の露光量を調整するものである。
帯電バイアス出力部８２は、画像プロセス部４に設けられ、作像部９Ｙ〜９Ｋの各帯電部２２に帯電バイアス電圧を可変可能に出力するものであり、現像バイアス出力部８３は、画像プロセス部４に設けられ、作像部９Ｙ〜９Ｋの各現像部２３の現像ローラー２３１に現像バイアス電圧を可変可能に出力するものである。
【００３３】
ＲＡＭ７４は、プログラム実行時のＣＰＵ７１のワークエリアとして用いられる。
パターン形成部７５は、トナー付着量最適化処理において作像部９Ｙ〜９Ｋの感光体ドラム２１上にトナーパターンを形成する。
図３（ａ）は、作像部９Ｙにおける感光体ドラム２１上に形成されたＹ色のトナーパターンＰ１，Ｐ２，Ｐ３の構成例を示す平面図であり、感光体ドラム２１の主走査方向一方端側を平面に展開したものを上から中間転写ベルト３４を透視して見たときの図である。
【００３４】
同図に示すように、トナーパターンＰ１は、感光体ドラム２１の回転方向（矢印Ａ：副走査方向に相当）に直交する主走査方向に平行な線状の複数本のラインパターン９１Ｙからなる。同様に、トナーパターンＰ２，Ｐ３は、主走査方向に平行な線状の複数本のラインパターン９２Ｙ，９３Ｙからなる。
トナーパターンＰ１を構成する複数本のラインパターン９１Ｙは、それぞれが同じ線幅Ｗであり、隣り合うもの同士が相互に矢印Ａで示す方向に間隔Ｄ１をあけて並んでおり、同じトナー付着量になっている。
【００３５】
トナーパターンＰ２を構成する複数本のラインパターン９２Ｙは、それぞれが同じ線幅Ｗであり、隣り合うもの同士が相互に矢印Ａで示す方向に間隔Ｄ２（＞Ｄ１）をあけて並んでおり、同じトナー付着量になっている。
トナーパターンＰ３を構成する複数本のラインパターン９３Ｙは、それぞれが同じ線幅Ｗであり、隣り合うもの同士が相互に矢印Ａで示す方向に間隔Ｄ３（＞Ｄ２）をあけて並んでおり、同じトナー付着量になっている。線幅Ｗとしては、例えば６０〜１１０〔μｍ〕のものが用いられる。間隔Ｄ１〜Ｄ３が異なっている理由については、後述する。
【００３６】
ラインパターン９１Ｙ〜９３Ｙは、この順にトナー付着量が多い構成になっている。
具体的には、ラインパターン９１Ｙは、トナー付着量が３〔ｇ／ｍ２〕になるように調整された画像形成条件に基づき形成されたものであり、ラインパターン９２Ｙは、４〔ｇ／ｍ２〕になるように調整された画像形成条件に基づき形成されたものであり、ラインパターン９３Ｙは、５〔ｇ／ｍ２〕になるように調整された画像形成条件に基づき形成されたものである。通常、３〔ｇ／ｍ２〕以上は、高濃度域とされるので、ラインパターン９１Ｙ〜９３Ｙは、いずれも高濃度のトナーパターンといえる。
【００３７】
なお、トナーパターンの形成は、前回（過去）のトナー付着量最適化処理において調整された画像形成条件が用いられるので、現時点までの間の環境変化などにより実際のトナー付着量は、目標である３，４，５〔ｇ／ｍ２〕から変わっていることがあり得る。
図３（ｂ）は、感光体ドラム２１から中間転写ベルト３４上に転写された後のトナーパターンＰ１ａ〜Ｐ３ａの例を示す図であり、図１の矢印Ｄで示す方向から中間転写ベルト３４を見たときの図である。
【００３８】
図３（ｂ）に示すように、中間転写ベルト３４上に転写されたトナーパターンＰ１ａ〜Ｐ３ａは、そのラインパターン９１Ｙ，９２Ｙ，９３Ｙの線幅Ｗａ，Ｗｂ，Ｗｃが転写前の線幅Ｗよりも広くなっていることが判る。
このように転写後にラインパターンの線幅が広くなるのは、トナーパターンＰ１〜Ｐ３の転写時に、感光体ドラム２１の周速Ｖ１に対して中間転写ベルト３４の周速Ｖ２を所定の速度比（例えば、１．５倍）だけ速くしているからである。
【００３９】
具体的に、図４と図５を用いて説明する。
図４は、感光体ドラム２１上に形成された高濃度のラインパターン９４が転写位置３６１で中間転写ベルト３４に転写されるときの転写の前後において、そのトナーパターン９４の厚みが変化する様子を示す模式図である。
同図に示すように、周速Ｖ１で回転している感光体ドラム２１上に形成されたラインパターン９４は、高濃度であるためにトナー粒子Ｔからなるトナー層（同図の例では２層）が複数、積層された状態になっている。
【００４０】
感光体ドラム２１上に形成されたラインパターン９４は、感光体ドラム２１の回転により転写位置３６１に搬送され、転写位置３６１で中間転写ベルト３４に転写されるが、感光体ドラム２１の周速（表面の速度）Ｖ１よりも中間転写ベルト３４の周速（表面の速度）Ｖ２の方が速いために、単位時間当たりのその表面の移動距離が感光体ドラム２１よりも中間転写ベルト３４の方が長くなる。
【００４１】
このため、ラインパターン９４を構成する各トナー粒子Ｔが転写により感光体ドラム２１から中間転写ベルト３４に移動するときに、その速度差によりそのトナー層が崩れるようになって、その速度差の分だけ中間転写ベルト３４上では転写後のラインパターン９５が占める表面積がそのトナー付着量に応じて中間転写ベルト３４の周回方向に広がるようになって均されて、転写後では、トナー層の積層数が感光体ドラム２１上での積層数よりも減り（同図では、１層になり）、その線幅が感光体ドラム２１上での線幅Ｗよりも広い線幅Ｗ１になるものである。
【００４２】
図５は、ラインパターン９４のトナー付着量〔ｇ／ｍ２〕を３段階に分けた場合の、感光体ドラム２１上における転写前のラインパターン９４ａ，９４ｂ，９４ｃのトナー層と、転写後の中間転写ベルト３４上におけるラインパターン９５ａ，９５ｂ，９５ｃのトナー層の様子を模式的に示す図である。
図５（ａ）〜図５（ｃ）は、この順に３段階にトナー付着量が多くなり、トナー付着量が多くなっても線幅Ｗがほとんど変わらず、高さＨがＨ１，Ｈ２，Ｈ３の順に高くなっている、すなわちトナー層の積層数が多くなっている例を示している。
【００４３】
中間転写ベルト３４の周速Ｖ２を感光体ドラム２１の周速Ｖ１よりも速くすることにより、感光体ドラム２１から中間転写ベルト３４に転写される際に、線幅が細いラインパターン９４ａ〜９４ｃを構成するトナー層が均されて、ラインパターンの線幅Ｗが広がるが、感光体ドラム２１上でのトナー層の積層数（付着量）が多いほど、その広がりが大きくなり、転写後のラインパターン９５ａ〜９５ｃの線幅は、図５（ａ）〜図５（ｃ）の順に、Ｗａ，Ｗｂ（＞Ｗａ），Ｗｃ（＞Ｗｂ）になる。
【００４４】
転写後のラインパターン９５ａ〜９５ｃの高さＨは、転写の際にラインパターン９４ａ〜９４ｃが均されることにより、転写前の高さよりも低くなるが、トナー層の積層数が多いほど、転写後の高さも高い状態になり、図５（ａ）〜図５（ｃ）の順に、Ｈ１１，Ｈ２１（＞Ｈ１１），Ｈ３１（＞Ｈ２１）になる。
中間転写ベルト３４上の転写後のラインパターン９５ａは、線幅Ｗａが転写前よりも広くなり、かつ高さＨ１１が転写前の高さＨ１よりも低くなっている。転写後の方が転写前よりも線幅が広くなり高さが低くなることは、ラインパターン９５ｂ，９５ｃについても同様である。
【００４５】
感光体ドラム２１上のラインパターンを中間転写ベルト３４への転写の際に均すようにするには、中間転写ベルト３４の周速Ｖ２が感光体ドラム２１の周速Ｖ１よりも速いことが条件になるが、速度比としては、周速Ｖ２がＶ１とあまり変わらなければ、その均す作用が働き難く、一方で周速Ｖ２がＶ１よりも速すぎると転写を良好に行えなくなることから、例えば１．１×Ｖ１≦Ｖ２≦２×Ｖ１の範囲をとることが望ましい。
【００４６】
感光体ドラム２１上での実際のトナー層の積層数は、１色であれば最大でも２〜３層であることが多く、その２〜３層のトナー層を転写時に均して１〜２層にするのに最低限、必要な周速Ｖ２を、周速Ｖ１に対しその１０％分、速い速度である（１．１×Ｖ１）を下限値とし、転写率との関係から上限値を２倍としたものであるが、これに限られることはなく、装置構成に応じて実験などから適した値を求めることができる。
【００４７】
このように中間転写ベルト３４の周速Ｖ２を感光体ドラム２１の周速Ｖ１よりも速くすることにより、転写後のラインパターン９５ａ〜９５ｃの線幅Ｗａ〜Ｗｃと高さＨ１１〜Ｈ３１がトナー付着量の違いに応じて相互に異なるようになれば、転写後のラインパターン９５ａ〜９５ｃに光を照射した場合に、トナー付着量の違いに応じてその反射光の光量差も大きく現れるようになる。
【００４８】
従って、高濃度域のトナーパターンであっても、異なるトナー付着量のトナーパターンを形成して、異なるトナーパターンごとにその反射光の光量を検出することにより、高濃度域におけるトナー付着量を精度良く測定することができることになる。
高濃度になるほど、転写後のラインパターン９５ａ〜９５ｃの線幅Ｗが広がるので、図３（ａ）に示すように、高濃度になるに伴って、感光体ドラム２１上における隣り合うラインパターンの間隔Ｄ１〜Ｄ３がＤ１〜Ｄ３の順に広くなるようにして、転写後のラインパターン９５ａ〜９５ｃの線幅Ｗａ〜Ｗｃが広くなっても、ラインパターン１本ごとに、隣のラインパターンと引っ付くことがないようにその間隔が予め設定されている。
【００４９】
この設定により、図３（ｂ）に示すように隣り合うラインパターンの間隔Ｄ１１，Ｄ２１，Ｄ３１が、感光体ドラム２１上での間隔Ｄ１，Ｄ２，Ｄ３よりも狭くなっても、隣り合うラインパターン同士が互いに隔てられるようになり、各ラインパターンを精度良く検出することができる。
図６（ａ）は、ラインパターンのトナー付着量が高濃度領域（３〜６〔ｇ／ｍ２〕の領域）にある場合におけるトナー付着量とラインパターンの線幅の関係を示す図であり、グラフ２０１が転写前の線幅を示しており、グラフ２０２が転写後の線幅を示しており、図６（ｂ）は、トナー付着量とラインパターンの反射濃度の関係を示す図であり、グラフ２０３が中間転写ベルト３４の周速を感光体ドラム２１の周速と同じにした場合の反射濃度を示しており、グラフ２０４が中間転写ベルト３４の周速を感光体ドラム２１の周速に対して２倍の速度にした場合の反射濃度を示している。
【００５０】
図６（ａ）に示すグラフ２０１，２０２を見れば、転写の前後でラインパターンの線幅が大きく変わっているが、トナー付着量が増加しても線幅自体はあまり変わっていないことが判る。このことは、図５（ａ）〜（ｃ）においてトナー付着量が増加しても転写前では線幅Ｗが同じであり、転写後ではトナー付着量が増加すると少し幅広（Ｗａ〜Ｗｃ）になるとした例に略一致する。
【００５１】
一方、図６（ｂ）に示すように反射濃度は、グラフ２０３，２０４を見ればトナー付着量の増加に応じて大きく変わっており、その変化量は、中間転写ベルト３４の周速を感光体ドラム２１の周速よりも早くした場合の例を示すグラフ２０４の方が、周速を同じとした場合の例を示すグラフ２０３よりも大きいことが判る。
トナー付着量の増加に応じて反射濃度の変化がより大きくなる方がトナー付着量を検出し易いことから、中間転写ベルト３４の周速Ｖ２を感光体ドラム２１の周速Ｖ１よりも早くした場合における転写後のトナーパターンＰ１ａ〜Ｐ３ａを検出することにより、高濃度域のトナー付着量をより精度良く検出することができることになる。
【００５２】
図３（ｂ）に戻り、中間転写ベルト３４上に転写されたＹ色のトナーパターンＰ１ａ〜Ｐ３ａは、中間転写ベルト３４の周回走行により矢印Ｂで示す方向に搬送され、同図の破線で示す検出ラインＦ上においてパターン検出センサー３８で検出され、パターン検出センサー３８から反射濃度を示す信号が制御部７に送られる。なお、中間転写ベルト３４上のトナーパターンＰ１ａ〜Ｐ３ａは、パターン検出センサー３８による検出後、クリーナー３５により除去される。
【００５３】
図２に戻って、回転速度データ記憶部７７には、システムスピードＶ１と、これよりも所定の速度比だけ速い速度Ｖ２を示すデータが記憶されている。
トナー付着量算出部７８は、パターン検出センサー３８からの反射濃度を示す信号に基づいて、そのトナー付着量を算出する。具体的には、反射濃度とトナー付着量との対応関係を示すテーブルを参照することによりトナー付着量を算出する。当該テーブルは、ＲＯＭ７３に記憶され、プログラム実行時にＲＡＭ７４に読み出される。
【００５４】
パターンデータ記憶部７６には、トナーパターンＰ１〜Ｐ３を形成するための画像データ（以下、「パターンデータ」という。）と、トナーパターンＰ１〜Ｐ３を形成するための画像形成条件とを記憶している。
画像形成条件としては、具体的には、露光部１０の露光量、帯電部２２に対する帯電バイアス電圧、現像部２３の現像ローラー２３１に対する現像バイアス電圧に関する条件が、目標とするトナー付着量（上記例では、３，４，５〔ｇ／ｍ２〕など：以下、「目標濃度」という。）毎に設定されている。画像形成条件は、対応するトナー付着量またはその近傍のトナー付着量でトナーパターンがそれぞれ形成されるように設定されている。
【００５５】
補正テーブル記憶部７９は、トナー付着量と露光量、トナー付着量と帯電バイアス電圧、トナー付着量と現像バイアス電圧の各対応関係を示す補正テーブルを記憶している。
（３）トナー付着量最適化処理
図７は、制御部７が行うＹ色のトナー付着量最適化処理の動作を示すフローチャートである。
【００５６】
同図に示すように、操作部８からユーザーにより入力された、目標濃度の指定を伴うトナー付着量最適化処理の実行指示を受け付けると（ステップＳ１）、作像部９Ｙ〜９Ｋの各感光体ドラム２１を所定速度（周速）Ｖ１で回転駆動させ（ステップＳ２）、中間転写ベルト３４を所定速度（周速）Ｖ２（＞Ｖ１）で周回駆動させる（ステップＳ３）。
この駆動は、メインモーターＭ１とベルト駆動モーターＭ２を、感光体ドラム２１が周速Ｖ１で回転し、中間転写ベルト３４が周速Ｖ２で周回走行するように回転制御することにより行われる。
【００５７】
パターンデータ記憶部７６からパターンデータと、指定された目標濃度について定められている画像形成条件を読み出し、当該画像形成条件下において、パターンデータに基づいて、作像部９Ｙの感光体ドラム２１上に、目標濃度に対応する濃度のＹ色のトナーパターンを形成する（ステップＳ４）。目標濃度が例えば３，４，５〔ｇ／ｍ２〕の３つであれば、図３に示すＰ１〜Ｐ３が形成される。この形成は、パターン形成部７５により実行される。以下、トナーパターンＰ１〜Ｐ３が形成された場合を例に説明する。
【００５８】
次に、作像部９Ｙの感光体ドラム２１に対向する一次転写ローラー３６に一次転写電圧を印加して、感光体ドラム２１上に形成されたＹ色のトナーパターンＰ１〜Ｐ３を中間転写ベルト３４に転写させる（ステップＳ５）。この転写により、図３（ｂ）に示すように中間転写ベルト３４上における転写後のラインパターン９１Ｙ〜９３Ｙの線幅Ｗａ〜Ｗｃは、転写前における感光体ドラム２１上での線幅Ｗよりも広げられた状態になる。なお、一次転写ローラー３６への一次転写電圧の印加は、転写出力部３９に対し、当該一次転写ローラー３６への一次転写電圧の出力を指示することにより行われる。
【００５９】
そして、中間転写ベルト３４上のＹ色のトナーパターンＰ１〜Ｐ３をパターン検出センサー３８で検出し（ステップＳ６）、その検出信号（反射濃度を示す信号）に基づいて、トナーパターンＰ１〜Ｐ３ごとに、そのラインパターン９１Ｙ〜９３Ｙのトナー像におけるトナー付着量（ｔ〔ｇ／ｍ２〕）を算出する（ステップＳ７）。この算出は、トナー付着量算出部７８により行われる。ラインパターン９１Ｙ〜９３ごとに、複数本のラインパターンの各検出信号を平均化するなどの処理により、算出精度をより向上することができる。これにより、トナーパターンＰ１〜Ｐ３ごとにそのトナー付着量が測定される。
【００６０】
続いて、補正テーブル記憶部７９の補正テーブルを参照して、トナーパターンＰ１〜Ｐ３ごとに、そのトナー付着量ｔが目標濃度と一致するように、画像形成条件を補正して目標濃度に対応する画像形成条件を決定して（ステップＳ８）、当該処理を終了する。
例えば、トナーパターンＰ１のトナー付着量ｔが、その目標濃度（３〔ｇ／ｍ２〕）と一致していない場合には、目標温度との差分を補正すべく、補正テーブルからその補正に必要な露光量や帯電電圧などの補正値を読み出して、読み出した補正値を用いて画像形成条件を補正する。これにより、目標濃度（３〔ｇ／ｍ２〕）に対する画像形成条件が調整されたことになる。他のトナーパターンＰ２，Ｐ３についても同様であり、それぞれの目標濃度に対する画像形成条件がそれぞれ個別に調整される。調整された画像形成条件は、例えばパターンデータ記憶部７６や他の記憶部などに記憶される。
【００６１】
このステップＳ８で決定された画像形成条件が、これ以後のコピージョブなどの画像形成時における画像形成条件として用いられる。この意味で、制御部７は、ステップＳ８を実行する場合に、トナー付着量が目標値になるように画像形成条件を調整する調整手段として機能するものといえる。
なお、上記では、高濃度域に含まれる３段階の濃度（３〔ｇ／ｍ２〕，４〔ｇ／ｍ２〕，５〔ｇ／ｍ２〕）をそれぞれ目標濃度として、それぞれの目標濃度に対応する画像形成条件を調整するために、３つのトナーパターンＰ１，Ｐ２，Ｐ３を形成する例を説明したが、これに限られない。
【００６２】
目標濃度は、高濃度域、例えば３〜６〔ｇ／ｍ２〕の範囲に含まれる濃度であれば良く、異なる複数の濃度をそれぞれ目標濃度としても良いし、一つを目標濃度としても良い。
また、Ｙ色の画像形成条件を調整する場合の例を説明したが、他のＭ，Ｃ，Ｋ色についても同様に、対応する作像部ごとに、その色のトナーパターンを周速Ｖ１で回転する感光体ドラム２１上に形成し、形成されたトナーパターンを、周速Ｖ２（＞Ｖ１）で周回する中間転写ベルト３４に転写した後、転写されたトナーパターンをパターン検出センサー３８で検出して、その検出結果に基づき画像形成条件を決定する構成をとることができる。
【００６３】
以上、説明したように、感光体ドラム２１上に形成されたトナーパターンを構成するラインパターンのトナー像が中間転写ベルト３４に転写される際に、感光体ドラム２１と中間転写ベルト３４の速度差により、ラインパターンを形成するトナー像が占める表面積がそのトナー付着量に応じて広がるようになって、ラインパターンがその線幅方向に均された後に、ラインパターンのトナー像におけるトナー付着量が測定される。
【００６４】
従って、指定された目標濃度が高濃度の場合においても、対応するラインパターンのトナー像におけるトナー付着量を、線幅によって変化する反射濃度に基づき正確に測定することができ、測定結果に基づいて適切に画像形成条件を調整することができる。
本発明は、画像形成装置に限られず、画像形成条件を調整する方法であるとしても良い。また、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００６５】
＜変形例＞
以上、本発明を実施の形態に基づいて説明してきたが、本発明は、上述の実施の形態に限定されないのは勿論であり、以下のような変形例が考えられる。
（１）上記実施の形態では、感光体ドラム２１上に形成されるトナーパターンＰ１〜Ｐ３のうち、トナー付着量が多いパターンほど、隣り合うラインパターン同士の間隔Ｄを広くとるとしたが、これに限られない。中間転写ベルト３４への転写後に、隣り合うラインパターン同士が互いに隔てられるようになれば良く、例えば等間隔とすることもできる。
【００６６】
（２）上記実施の形態では、トナーパターンが、主走査方向に平行な複数本のラインパターンからなるとしたが、これに限られず、例えば１本のラインパターンからなるものであっても良い。また、主走査方向に平行なラインパターンを用いる例を説明したが、これに限られず、例えば副走査方向に平行なラインパターンを用いるとしても良い。
また、感光体ドラム２１上に形成されるラインパターンの幅Ｗが、どの濃度のラインパターンでも同じ幅としたが、これに限られず、例えば濃度ごとに異なる線幅、具体的には濃度が濃くなるに伴って、線幅を広くする、または狭くする構成をとることもできる。
【００６７】
さらに、線幅が細いラインパターンを用いることにより、転写後のラインパターンの厚さが略均等になるように線幅方向に広げて均し易くなる構成例を説明したが、トナーパターンは、線状に限定されず、トナー付着量を測定できるものであれば、例えば、ある程度の面積をするベタパターンや、複数個のドットが相互に間隔をあけて配置されてなる網点パターンなどを用いることもできる。
【００６８】
（３）上記実施の形態では、中間転写ベルト３４上のトナーパターンを検出する部材として、反射型の光学センサーを用いる例を説明したが、これに限られない。例えば、中間転写ベルト３４が透光性のものであれば、透過型の光学センサーを用いることもできる。具体的には、発光部から発せられた光を中間転写ベルト３４上のトナーパターンに照射し、トナーパターンと中間転写ベルト３４を透過した光を、受光部で受光して透過光量を検出するものである。また、光学センサーに限られず、中間転写ベルト３４上のトナーパターンのトナー付着量を光学的に測定することができるものであれば良く、例えばＣＣＤなどの受光素子を用いることもできる。
【００６９】
（４）上記実施の形態では、高濃度領域のトナーパターンの検出方法を説明したが、高濃度領域よりも濃度が低い低濃度領域や中濃度領域のトナーパターンについても、上記と同様の方法で検出するとしても良いし、低濃度領域と中濃度領域のトナーパターンについては、感光体ドラム２１と中間転写ベルト３４を同じ周速に設定（通常の画像形成時と同一に）して、感光体ドラム２１から中間転写ベルト３４への転写を行うとしても良い。
【００７０】
（５）上記実施の形態では、感光体ドラム２１と中間転写ベルト３４を個別に駆動するために２つのモーターを設ける構成例を説明したが、これに限られない。例えば、１つのモーターからの回転駆動力を感光体ドラム２１と中間転写ベルト３４に分けて伝達する経路を設けると共に、中間転写ベルト３４への経路にその周速を切替可能なギアとクラッチなどが組み合わされてなる変速機構を設けて、通常のコピージョブ等の画像形成時には、中間転写ベルト３４が感光体ドラム２１の周速Ｖ１と同じ速度で周回駆動され、トナー付着量最適化処理時には、中間転写ベルト３４が周速Ｖ２で周回駆動されるように速度を切り替える構成をとることもできる。
【００７１】
また、上記では、トナー付着量最適化処理時に感光体ドラム２１を周速Ｖ１で回転させるとしたが、これに限られない。例えば、トナー付着量を測定できる範囲内で、感光体ドラム２１の周速をシステムスピードとは異なる速度Ｖ１ａに設定し、トナー付着量を測定可能な範囲内で、周速Ｖ２＞Ｖ１ａの条件を満たすとしても良い。
（６）上記実施の形態では、本発明に係る画像形成装置をタンデム型カラー複合機に適用した場合の例を説明したが、これに限られない。カラーやモノクロのいずれの画像形成を行うかに関係なく、１以上の感光体ドラムなどの像担持回転体上に形成された画像を、中間転写ベルトなどの中間転写回転体に転写し、中間転写回転体に転写された画像を、記録シート上に転写する構成の画像形成装置であれば、例えば複写機、プリンター、ファクシミリ装置等に適用できる。
【００７２】
また、上記実施の形態及び上記変形例の内容をそれぞれ組み合わせるとしても良い。
【産業上の利用可能性】
【００７３】
本発明は、複写機やプリンター等の画像形成装置に関し、特に像担持回転体へのトナー付着量を調整する技術として利用できる。
【符号の説明】
【００７４】
１      複合機
２１      感光体ドラム
３４      中間転写ベルト
３６      一次転写ローラー
３８      パターン検出センサー
３９      転写出力部
７５      パターン形成部
７８      トナー付着量算出部
７９      補正テーブル記憶部
９１Ｙ，９２Ｙ，９３Ｙ，９４，９５      ラインパターン
３６１      一次転写位置
Ｄ１，Ｄ２，Ｄ３，Ｄ１１，Ｄ２１，Ｄ３１      隣り合うラインパターンの間隔
Ｍ１      メインモーター
Ｍ２      ベルト駆動モーター
Ｐ１，Ｐ２，Ｐ３      トナーパターン
Ｔ      トナー粒子
Ｖ１      感光体ドラムの周速
Ｖ２      中間転写ベルトの周速
Ｗ，Ｗａ，Ｗｂ，Ｗｃ      ラインパターンの線幅
【図１】
2013113918.tif 000003
【図２】
2013113918.tif 000004
【図３】
2013113918.tif 000005
【図４】
2013113918.tif 000006
【図５】
2013113918.tif 000007
【図６】
2013113918.tif 000008
【図７】
2013113918.tif 000009